(57)【要約】      （修正有）【課題】壁面に用いられる鉄筋結束構造を提供する。【解決手段】先端と基端とで重なり合うように繋がれて主回路２１を形成する少なくとも１本の帯筋２０を含み、前記少なくとも１本の帯筋は、壁面を形成するための多数の主筋群を結束するためのものであり、前記多数の主筋群は、１つの断面が２本の主筋１０のみを有し、当該１つの断面と略直交するもう１つの断面が多数の主筋を有する２列のみの多数の主筋を少なくとも有し、前記帯筋の主回路は、前記２列のみの多数の主筋の周りを取り囲む。ここで、前記主回路を形成する帯筋は、さらに少なくとも１つの子回路２２を形成し、前記少なくとも１つの子回路は、前記主回路の内部に位置し、かつ、両側が前記主回路に重なり合っている。前記子回路は、２列のみの主筋のうち最小四角形を形成した４つの隣接する主筋を取り囲む。【選択図】図２
0003208666.tif 000002
【実用新案登録請求の範囲】
【請求項１】
先端と基端とが重なり合うように繋がれて主回路を形成する少なくとも１本の帯筋を含み、
前記少なくとも１本の帯筋は、壁面を形成するための多数の主筋からなる主筋群を結束するためのものであり、
前記主筋群は、１つの断面が２本の主筋のみを有するとともに当該１つの断面と略直交するもう１つの断面が多数の主筋を有する２列のみの多数の主筋を少なくとも有し、
前記帯筋の前記主回路は、前記２列のみの多数の主筋の周りを取り囲むことを特徴とする壁面に用いられる鉄筋結束構造。
【請求項２】
前記主回路を形成する前記帯筋は、さらに少なくとも１つの子回路を形成し、
前記少なくとも１つの子回路は、前記主回路の内部に位置し、かつ、両側が前記主回路に重なり合い、
前記子回路は、前記２列のみの多数の主筋のうち最小四角形を形成した４つの隣接する主筋を取り囲むことを特徴とする請求項１記載の壁面に用いられる鉄筋結束構造。
【請求項３】
前記子回路は少なくとも２つあり、前記少なくとも２つの子回路は、前記２列のみの多数の主筋のうち最小四角形を形成した４つの隣接する主筋を取り囲み、さらに、前記少なくとも２つの子回路は、前記主回路の内部に位置し、かつ両側が前記主回路に重なり合い、さらに、前記少なくとも２つの子回路は、前記主筋の軸方向から見て互いに重なり合わないことを特徴とする請求項２記載の壁面に用いられる鉄筋結束構造。
【請求項４】
前記各子回路は、線形配列となることを特徴とする請求項３記載の壁面に用いられる鉄筋結束構造。
【請求項５】
前記帯筋が形成する主回路は、前記主筋の軸方向から見て略矩形であることを特徴とする請求項１記載の壁面に用いられる鉄筋結束構造。
【請求項６】
前記主筋群は、さらに、もう１行の２列のみの多数の主筋を含み、
前記もう１行の２列のみの多数の主筋が、前記２列のみの多数の主筋とは、端部で連結されて、前記主筋群は略Ｌ字状の壁面を形成し、
前記少なくとも１本の帯筋は、Ｌ字状の壁面を形成するための前記主筋群に巻き付けられて前記主回路を形成することを特徴とする請求項１記載の壁面に用いられる鉄筋結束構造。
【請求項７】
前記主筋群は、さらに、もう２行の２列のみの多数の主筋を含み、
前記もう２行の２列のみの多数の主筋が、互いに略平行し、前記もう２行の２列のみの多数の主筋の端部が、前記２列のみの多数の主筋の行の両端部にそれぞれ連結されて、前記主筋群は略門字状の壁面を形成し、
前記少なくとも１本の帯筋は、門字状の壁面を形成するための前記主筋群に巻き付けられて主回路を形成することを特徴とする請求項１記載の壁面に用いられる鉄筋結束構造。
【請求項８】
前記主筋群は、さらに、前記もう１行の２列のみの多数の主筋を含み、
前記もう１行の２列のみの多数の主筋が、前記２列のみの多数の主筋とは途中で連結されて、前記主筋群は略Ｔ字状の壁面を形成し、
前記少なくとも１本の帯筋は、Ｔ字状の壁面を形成するための前記主筋群に巻き付けられて主回路を形成することを特徴とする請求項１記載の壁面に用いられる鉄筋結束構造。
【請求項９】
前記各主筋の側に第２の主筋がさらに結束され、前記第２の主筋の長さは、対応する主筋より大きく、前記主筋群が形成する壁面構造全体の高さを延ばすことを特徴とする請求項１記載の壁面に用いられる鉄筋結束構造。
【請求項１０】
互いに繋ぐように一体のスパイラル構造を形成する少なくとも１本の帯筋を含み、
前記１本の帯筋の先端と基端は段差を有し、前記１本の帯筋は、その先端が前の帯筋の基端に繋がれ、その基端が次の帯筋の先端に繋がれて、複数の帯筋は互いに先端と基端とが繋がることによりスパイラル構造を形成し、
前記なくとも１本の帯筋は、壁面を形成するための多数の主筋からなる主筋群を結束するために用いられ、
前記主筋群は、１つの断面が２本の主筋のみを有するとともに当該１つの断面と略直交するもう１つの断面が多数の主筋を有する２列のみの多数の主筋を少なくとも有し、
前記各帯筋の先端と基端は、前記主筋の軸方向から前記各帯筋の方向を見ると、互いに繋がって主回路を形成しており、前記主回路は、前記２列のみの多数の主筋の周りを取り囲むことを特徴とする壁面に用いられる鉄筋結束構造。
【請求項１１】
前記主回路を形成する前記帯筋は、さらに少なくとも１つの子回路を形成し、前記少なくとも１つの子回路は、前記主回路の内部に位置し、かつ両側が前記主回路に重なり合い、
前記子回路は、前記２列のみの多数の主筋のうち最小四角形を形成した４つの隣接する主筋を取り囲むことを特徴とする請求項１０記載の壁面に用いられる鉄筋結束構造。
【請求項１２】
前記子回路は、少なくとも２つあり、
前記少なくとも２つの子回路は、前記２列のみの多数の主筋のうち最小四角形を形成した４つの隣接する主筋を取り囲み、さらに、前記少なくとも２つの子回路は、前記主回路の内部に位置し、かつ両側が前記主回路に重なり合い、さらに、前記少なくとも２つの子回路は、前記２列のみの多数の主筋の軸方向から見て互いに重なり合わないことを特徴とする請求項１１記載の壁面に用いられる鉄筋結束構造。
【請求項１３】
前記帯筋が形成する主回路は、前記主筋の軸方向から見て略矩形であることを特徴とする請求項１０記載の壁面に用いられる鉄筋結束構造。
【考案の詳細な説明】
【技術分野】
【０００１】
本考案は、鉄筋結束構造に関し、特に、壁面に用いられる鉄筋結束構造に関する。
【背景技術】
【０００２】
当今の社会進歩に伴い、人々は、居住品質について日毎に益々重視している。その中で、建物の安全性(例えば、耐震性)は、居住環境においてとても重要な指標の１つである。一般的な建物の耐震性は、その構造の強さと関わっており、建物の耐震性は、主に建物の鉄筋コンクリートの壁板と梁や柱の鉄筋構造により定まる。
【０００３】
ところが、梁、柱などの鉄筋構造は、周りのコンクリートで覆われているため、その構造全体の耐震強度を検証しにくく、それに一般の人々も、建物が施工段階での鉄筋構造や施工過程を知ることができない。また、現在建築業者の技術にバラツキがあるため、伝統的施工方法による建物において、高い品質要求に効率よく達することができない。構造を強化する設計を前もって鉄筋の構造設計全体や加工段階に組み入れておけば、建物の品質を設計段階から現場施工段階まで一致させることができ、後続の施工工程に高い効率を有し、建物の施工品質を効率よく向上し、構造全体の耐震性と施工効率を両立させることができる。
【０００４】
そのため、本考案は、従来技術の欠点を解決し、新規的な壁面に用いられる鉄筋結束構造を提供することが望ましい。
【考案の概要】
【考案が解決しようとする課題】
【０００５】
そのため、本考案の目的は、前記の従来技術の問題を解決することであり、本考案は、壁面に用いられる鉄筋結束構造を提供し、少なくとも１本の帯筋（横方向鉄筋）を先端と基端とで重なり合うように繋げて一体成形となる構造を形成し、多数の主筋(縦方向鉄筋)からなる主筋群を結束することで、構造全体の強度を高める。また、少なくとも１本の帯筋により、内部の主筋に巻き付けられるように少なくとも１つの子回路を形成するため、比較的良い強度をもって、その内部の主筋を一層取り囲むようになる。なお、当該子回路は、対応する主回路における位置が固定的であるため、各帯筋を主筋群との交差位置で結束する時に、結束しようとする位置を別に決定する必要はなく、結束作業をより速やかに完了することができるため、本考案の方法により、建物の耐震性や安全性を高めることだけではなく、施工作業全体の効率と品質を両立させることができる。
【課題を解決するための手段】
【０００６】
前記の目的を達成するため、本考案に係る壁面に用いられる鉄筋結束構造は、先端と基端とが重なり合うように繋がれて主回路を形成する少なくとも１本の帯筋を含み、前記少なくとも１本の帯筋は、壁面を形成するための多数の主筋からなる主筋群を結束するためのものであり、前記主筋群は、１つの断面が２本の主筋のみを有するとともに当該１つの断面と略直交するもう１つの断面が多数の主筋を有する２列のみの多数の主筋を少なくとも有し、前記帯筋の前記主回路は、前記２列のみの多数の主筋の周りを取り囲む。
ここで、前記主回路を形成する前記帯筋は、さらに少なくとも１つの子回路を形成し、前記少なくとも１つの子回路は、前記主回路の内部に位置し、かつ、両側が前記主回路に重なり合っている。前記子回路は、２列のみの主筋のうち最小四角形を形成した４つの隣接する主筋を取り囲む。
【０００７】
本考案の特徴及び長所は、次の説明及び添付図面からより深く理解しうる。
【図面の簡単な説明】
【０００８】
【図１Ａ】本考案の帯筋を示す図である。
【図１Ｂ】本考案の帯筋の１つの子回路を含む主回路を示す図である。
【図１Ｃ】本考案の帯筋の２つの子回路を含む主回路を示す図である。
【図１Ｄ】本考案の帯筋の３つの子回路を含む主回路を示す図である。
【図２】図１Ｃの帯筋と主筋とを示す組合図である。
【図３Ａ】本考案の帯筋の１つの子回路を含む、略Ｌ字状になる主回路を示す図である。
【図３Ｂ】本考案の帯筋の２つの子回路を含む、略Ｌ字状になる主回路を示す図である。
【図４】図３Ｂの帯筋と主筋とを示す組合図である。
【図５Ａ】本考案の帯筋の１つの子回路を含む、略Ｔ字状になる主回路を示す図である。
【図５Ｂ】本考案の帯筋の２つの子回路を含む、略Ｔ字状になる主回路を示す図である。
【図６】図５Ｂの帯筋と主筋とを示す組合図である。
【図７】本考案の帯筋の略門字状になる主回路を示す図である。
【図８】図７の帯筋と主筋とを示す組合図である。
【図９】本考案の帯筋と第１の主筋及び第２の主筋とを示す組合図である。
【図１０】本考案の帯筋の他の実施例を示す図である。
【図１１】図１０の帯筋と主筋とを示す組合図である。
【考案を実施するための形態】
【０００９】
以下、本考案の構造及び奏した効果や長所について、図面に合わせながら本考案の好ましい実施例を挙げて詳細に説明する。
【００１０】
図１Ａ〜図９に示すように、本考案に係る壁面に用いられる鉄筋結束構造は、先端と基端とが重なり合うように繋がれて主回路２１を形成する少なくとも１本の帯筋２０を含む。少なくとも１本の帯筋２０は、多数の主筋１０からなる主筋群を結束するためのものであり、主筋群は、壁面を形成するために用いられる。主筋群は、２列のみの多数の主筋１０を少なくとも有する。この２列のみの多数の主筋１０は、１つの断面が２本の主筋１０のみを有するとともに、当該１つの断面と略直交するもう１つの断面が多数の主筋１０を有するものである。帯筋２０の主回路２１は、２列のみの多数の主筋１０の周りを取り囲む。
【００１１】
図１Ａに示すように、帯筋２０が形成する主回路２１は、前記主筋１０の軸方向から見て略矩形になる。
【００１２】
帯筋２０の先端と基端との連結方法は、一体成形の構造を形成することができるため、多数の主筋１０を巻き付けて結束する時に、構造全体の強度を補強することができる。さらに、帯筋２０は、先端と基端とが重なり合うように繋がれる方法で連結されているので、結束強さを一層高めることができ、帯筋２０は先端と基端とが離れて多数の主筋１０に巻き付けられることで構造全体の強度が下がることを避けられる。そのため、本考案の方法により、構造全体の耐震性を高めることができ、建物の安全性を向上することができる。
【００１３】
図１Ｂに示すように、本例では、帯筋２０は、主回路２１に加えて少なくとも１つの子回路２２をさらに形成し、少なくとも１つの子回路２２が主回路２１の内部に位置し、かつ、両側が主回路２１に重なり合っている。
【００１４】
図２に示すように、各子回路２２は、２列のみの多数の主筋１０のうち最小四角形を形成した４つの隣接する主筋１０を取り囲む。各子回路２２が全て同じ帯筋２０で形成されるため、比較的強い強度によって、その内部の主筋１０を一層取り囲むことができ、構造全体の強度を高め、建物の耐震性と安全性を向上する。なお、各子回路２２は、対応する主回路２１における位置が固定的であるため、各帯筋２０と多数の主筋１０との交差位置をも固定したため、各帯筋２０を多数の主筋１０との交差位置で結束する時、結束しようとする位置を別に決定する必要はなく、結束作業をより速やかに完了することができるため、本考案の方法により、施工作業全体の効率と品質を両立させることができる。
【００１５】
好ましくは、図１Ｃ及び図１Ｄに示すように、子回路２２は、少なくとも２つあり、当該少なくとも２つの子回路２２は、２列のみの多数の主筋のうち最小四角形を形成した４つの隣接する主筋１０を取り囲む。さらに、少なくとも２つの子回路２２は、主回路２１の内部に位置し、かつ両側が主回路２１に重なり合っている。さらに、少なくとも２つの子回路２２は、主筋１０の軸方向から見て互いに重なり合わない。
【００１６】
好ましくは、各子回路２２は、線形配列となる。
【００１７】
図１Ｂに示すように、帯筋２０が形成する主回路２１は、主筋１０の軸方向から見て略矩形になる。ここで、主回路２１は、１つの子回路２２を含む。
【００１８】
図１Ｃに示すように、帯筋２０が形成する主回路２１は、主筋１０の軸方向から見て略矩形になる。ここで、主回路２１は、２つの子回路２２を含む。
【００１９】
図１Ｄに示すように、帯筋２０が形成する主回路２１は、主筋１０の軸方向から見て略矩形になる。ここで、主回路２１は、３つの子回路２２を含む。
【００２０】
図４に示すように、本例では、主筋群は、さらに、もう１行の２列のみの多数の主筋１０を含んでよい。もう１行の２列のみの多数の主筋１０が、前記２列のみの多数の主筋１０とは、端部で連結されて、主筋群は略Ｌ字状の壁面を形成し、少なくとも１本の帯筋２０は、Ｌ字状の壁面を形成するための主筋群に巻き付けられて主回路２１を形成する。
【００２１】
図３Ａに示すように、帯筋２０が形成する主回路２１は、略Ｌ字状になる。ここで、主回路２１は、１つの子回路２２を含む。
【００２２】
図３Ｂに示すように、帯筋２０が形成する主回路２１は、略Ｌ字状になる。ここで、主回路２１は、２つの子回路２２を含む。
【００２３】
図８に示すように、本例では、主筋群は、さらに、もう２行の２列のみの多数の主筋１０を含んでよい。もう２行の２列のみの多数の主筋１０は、互いに略平行し、もう２行の２列のみの多数の主筋１０の端部が、前記２列のみの多数の主筋１０の行の両端部にそれぞれ連結されて、主筋群は略門字状の壁を形成し、少なくとも１本の帯筋２０は、門字状の壁面を形成するための主筋群に巻き付けられて主回路２１を形成する。
【００２４】
図７に示すように、帯筋２０が形成する主回路２１は、略門字状になる。ここで、主回路２１は、２つの子回路２２を含む。
【００２５】
図６に示すように、本例では、主筋群は、さらに、もう１行の２列のみの多数の主筋１０を含んでよい。もう１行の２列のみの多数の主筋１０が、前記２列のみの形の主筋１０とは途中で連結されて、主筋群は略Ｔ字状の壁面を形成し、少なくとも１本の帯筋２０は、Ｔ字状の壁面を形成するための主筋群に巻き付けられて主回路２１を形成する。
【００２６】
図５Ａに示すように、帯筋２０が形成する主回路２１は、略Ｔ字状になる。ここで、主回路２１は、１つの子回路２２を含む。
【００２７】
図５Ｂに示すように、帯筋２０が形成する主回路２１は、略Ｔ字状になる。ここで、主回路２１は、２つの子回路２２を含む。
【００２８】
図９に示すように、本考案では、各主筋１０の側に第２の主筋３０がさらに結束され、第２の主筋３０の長さは、対応する主筋１０より大きく、主筋群が形成する壁面構造全体の高さを延ばすことができる。
【００２９】
図１０及び図１１は、本考案の他の実施例を示し、図中で前記の実施例と同じ素子について同じ記号を用いて示す。各帯筋２０は、互いに繋ぐように一体のスパイラル構造を形成する。１本の帯筋２０の先端と基端とは段差を有し、その帯筋２０の先端が前の帯筋２０の基端に繋がれ、その基端が次の帯筋２０の先端に繋がれるようになっている。このように、複数の帯筋２０は互いに先端と基端とが繋がることにより、スパイラル構造を形成するようなっている。
【００３０】
ここで、少なくとも１本の帯筋２０は、多数の主筋１０からなる主筋群を結束するために用いられ、主筋群は、壁面を形成するために用いられ、１つの断面が２本の主筋１０のみを有するとともに、当該１つの断面と略直交するもう１つの断面が多数の主筋１０を有する２列のみの多数の主筋を少なくとも有する。
【００３１】
各帯筋２０の先端と基端は、主筋１０の軸方向から各帯筋２０の方向を見ると、互いに繋がって主回路２１を形成するようになり、この主回路２１は、２列のみの主筋１０の周りを取り囲む。
【００３２】
主回路２１を形成する帯筋２０は、さらに少なくとも１つの子回路２２を形成し、少なくとも１つの子回路２２は、主回路２１の内部に位置し、かつ両側が主回路２１に重なり合っている。子回路２２は、２列のみの多数の主筋１０のうち最小四角形を形成した４つの隣接する主筋１０を取り囲む。
【００３３】
図１０に示すように、帯筋２０が形成する主回路２１は、主筋１０の軸方向から見て略矩形になる。好ましくは、子回路２２は、少なくとも２つであり、各子回路２２は、２列のみの主筋１０のうち最小四角形を形成した４つの隣接する主筋１０を取り囲む。少なくとも２つの子回路２２は、この主回路２１の内部に位置し、かつ両側が主回路２１に重なり合っている。また、少なくとも２つの子回路２２は、主筋１０の軸方向から見て互いに重なり合わない。
【００３４】
好ましくは、各子回路２２は線形配列となる。
【００３５】
本考案の長所は、少なくとも１本の帯筋を先端と基端とで重なり合うように繋がれて一体成形となる構造を形成し、多数の主筋を結束することで、構造全体の強度を高める。また、少なくとも１本の帯筋により、内部の主筋を巻き付けるように少なくとも１つの子回路を形成するため、比較的強い強度をもって、その内部の主筋を一層取り囲むことができる。なお、当該子回路は、対応する主回路における位置が固定的であるため、各帯筋を多数の主筋との交差位置で結束する時に、結束しようとする位置を別に決定する必要はなく、結束作業をより速やかに完了することができるため、本考案の方法により、建物の耐震性や安全性を高めることだけではなく、施工作業全体の効率と品質を両立させることができる。
【００３６】
前記のように、本考案のヒューマナイズな思いやり設計は、実際の要求に非常に好適である。既存欠点を具体的に改善し、従来技術より明らかに大幅な進歩性を有し、確かに効果が増進し、しかも達成するには容易でない。本考案は、国内と国外の文献や市場には公開及び開示されておらず、実用新案法の要件を満たしている。
【００３７】
前記詳細な説明は、本考案の好ましい実施例に対する具体的な説明であるが、当該実施例は、本考案の請求範囲を限定するのではなく、本考案の技術精神を逸脱しない等価な実施や変更は、いずれも本考案の請求範囲に含まれるべきである。
【符号の説明】
【００３８】
１０          主筋
２０          帯筋
２１          主回路
２２          子回路
３０          第２の主筋
【図１Ａ】
0003208666.tif 000003
【図１Ｂ】
0003208666.tif 000004
【図１Ｃ】
0003208666.tif 000005
【図１Ｄ】
0003208666.tif 000006
【図２】
0003208666.tif 000007
【図３Ａ】
0003208666.tif 000008
【図３Ｂ】
0003208666.tif 000009
【図４】
0003208666.tif 000010
【図５Ａ】
0003208666.tif 000011
【図５Ｂ】
0003208666.tif 000012
【図６】
0003208666.tif 000013
【図７】
0003208666.tif 000014
【図８】
0003208666.tif 000015
【図９】
0003208666.tif 000016
【図１０】
0003208666.tif 000017
【図１１】
0003208666.tif 000018